(57)【要約】【課題】カメラ本体側において画像データの処理能力が低い場合でもその影響を受けにくいカメラシステムを提供する。【解決手段】光学ユニットが、被写体光が入射して該被写体光の画像を表す画像データを生成する撮像部と、撮像部によって生成された画像データをカメラ本体に伝達する伝達部と、撮像部によって生成された画像データをカメラ本体以外の外部機器にワイヤレスで送る通信部とを備え、カメラ本体が、光学ユニットが着脱自在に装着される接続部と、伝達部から画像データを受け取るデータ受取部と、データ受取部で受け取られた画像データを記憶する記憶部とを備えたものであり、さらに撮像部が生成した画像データのデータ量と記憶部の空き容量とを比較し、空き容量がデータ量以上である場合には該記憶部に該画像データを記憶させ、空き容量がデータ量未満である場合には通信部に該画像データを外部機器へと送らせる制御部を備えた。【選択図】        図５
2007081946.tif 000002
【特許請求の範囲】
【請求項１】
光学ユニットと、該光学ユニットが着脱自在に装着されるカメラ本体とを備えたカメラシステムにおいて、
前記光学ユニットが、
被写体光が入射して該被写体光の画像を表す画像データを生成する撮像部と、
前記撮像部によって生成された画像データを前記カメラ本体に伝達する伝達部と、
前記撮像部によって生成された画像データを前記カメラ本体以外の外部機器にワイヤレスで送る通信部とを備えたものであること；
前記カメラ本体が、
前記光学ユニットが着脱自在に装着される接続部と、
前記接続部に接続された光学ユニットの伝達部から画像データを受け取るデータ受取部と、
前記データ受取部で受け取られた画像データを記憶する記憶部とを備えたものであること；および
前記撮像部が生成した画像データのデータ量と前記記憶部の空き容量とを比較し、前記空き容量が前記データ量以上である場合には該記憶部に該画像データを記憶させ、前記空き容量が前記データ量未満である場合には前記通信部に該画像データを前記外部機器へと送らせる制御部を備えたこと；
を特徴とするカメラシステム。
【請求項２】
光学ユニットと、該光学ユニットが着脱自在に装着されるカメラ本体とを備えたカメラシステムにおいて、
前記光学ユニットが、
被写体光が入射して該被写体光の画像を表す画像データを生成する撮像部と、
前記撮像部によって生成された画像データを前記カメラ本体以外の外部機器にワイヤレスで待避させ、その待避させた画像データを該外部機器から回収する通信部と、
前記通信部によって回収された画像データを前記カメラ本体に伝達する伝達部とを備えたものであること；および
前記カメラ本体が、
前記光学ユニットが着脱自在に装着される接続部と、
前記接続部に接続された光学ユニットの伝達部から画像データを受け取るデータ受取部と、
前記信号受取部で受け取られた画像データを圧縮する圧縮処理部とを備えたものであること；
を特徴とするカメラシステム。
【発明の詳細な説明】
【技術分野】
【０００１】
本発明は、被写体光が入射する光学ユニットと、光学ユニットが着脱自在に装着されるカメラ本体とを備えたカメラシステムに関する。
【背景技術】
【０００２】
従来、撮影レンズが内蔵された交換式のレンズユニットを、撮像素子が内蔵されたカメラ本体に装着してカメラシステムを構成するレンズ交換式デジタルカメラが知られている。このようなレンズ交換式デジタルカメラでは、ユーザが撮影の用途に応じて、複数のレンズユニットの中から適当なレンズユニットを選んで用いることができるという利点がある。
【０００３】
最近では、このようなレンズ交換式デジタルカメラを発展させたデジタルカメラとして、撮影レンズと撮像素子とが内蔵された撮像素子付きのレンズユニット（以下では、撮像素子付きのレンズユニットをカメラヘッドと称する）をカメラ本体に装着するヘッド交換式デジタルカメラが開発されており、さらに、こうしたヘッド交換式デジタルカメラの中には、カメラヘッド側に赤外線や電波などによるワイヤレスの通信機能を持たせることで、撮影で得られた画像データを他の機器に送ることが容易にできるように工夫されたヘッド交換式デジタルカメラもある（例えば、特許文献１参照）。
【特許文献１】特開２０００−２９５５１３号公報
【発明の開示】
【発明が解決しようとする課題】
【０００４】
一般に、ヘッド交換式デジタルカメラでは、複数のレンズユニットの中からユーザにとって好みのレンズユニットを選ぶことができるという利点がある反面、撮影で得られた画像データの処理はカメラ本体側で行われることが多いためにカメラ本体側の処理能力が低い場合にはその能力の限界による制限を受けることがある。上記のような通信機能をさらに発展させることで外部の機器との連帯を強め、こうした限界を克服することが望まれる。
【０００５】
本発明は、上記事情に鑑み、カメラ本体側において画像データの処理能力が低い場合でもその影響を受けにくいカメラシステムを提供することを目的とする。
【課題を解決するための手段】
【０００６】
上記目的を達成するための本発明の第１のカメラシステムは、
光学ユニットと、該光学ユニットが着脱自在に装着されるカメラ本体とを備えたカメラシステムにおいて、
上記光学ユニットが、
被写体光が入射して該被写体光の画像を表す画像データを生成する撮像部と、
上記撮像部によって生成された画像データを上記カメラ本体に伝達する伝達部と、
上記撮像部によって生成された画像データを上記カメラ本体以外の外部機器にワイヤレスで送る通信部とを備えたものであること；
上記カメラ本体が、
上記光学ユニットが着脱自在に装着される接続部と、
上記接続部に接続された光学ユニットの伝達部から画像データを受け取るデータ受取部と、
上記データ受取部で受け取られた画像データを記憶する記憶部とを備えたものであること；および
上記撮像部が生成した画像データのデータ量と上記記憶部の空き容量とを比較し、上記空き容量が上記データ量以上である場合には該記憶部に該画像データを記憶させ、上記空き容量が上記データ量未満である場合には上記通信部に該画像データを上記外部機器へと送らせる制御部を備えたこと；
を特徴とする。
【０００７】
本発明の第１のカメラシステムは、記憶部の空き容量が少ないために画像データを記憶できない場合にはその画像データを外部機器へ送るため、記憶部の空き容量が少なくなっても撮影を続けることが可能であり、記憶部の空き容量による制限を受けることがない。
【０００８】
なお、ここでいう制御部は、光学ユニットに備えられていてもよく、あるいはカメラ本体に備えられていてもよく、あるいは、光学ユニットとカメラ本体との両方に分かれて備えられて、それらが協同して上記の制御部の機能を発揮するものでもよい。
【０００９】
上記目的を達成するための本発明の第２のカメラシステムは、
光学ユニットと、該光学ユニットが着脱自在に装着されるカメラ本体とを備えたカメラシステムにおいて、
上記光学ユニットが、
被写体光が入射して該被写体光の画像を表す画像データを生成する撮像部と、
上記撮像部によって生成された画像データを上記カメラ本体以外の外部機器にワイヤレスで待避させ、その待避させた画像データを該外部機器から回収する通信部と、
上記通信部によって回収された画像データを上記カメラ本体に伝達する伝達部とを備えたものであること；および
上記カメラ本体が、
上記光学ユニットが着脱自在に装着される接続部と、
上記接続部に接続された光学ユニットの伝達部から画像データを受け取るデータ受取部と、
上記信号受取部で受け取られた画像データを圧縮する圧縮処理部とを備えたものであること；
を特徴とする。
【００１０】
本発明の第２のカメラシステムは、圧縮処理部の能力が低く圧縮処理に時間がかかる場合でも、一旦外部機器に画像データを退避させて時間を稼いだ上で画像データの回収を行うことにより、圧縮処理部の能力の限界による影響を受けることなく、撮影を続行することができる。
【発明の効果】
【００１１】
本発明のカメラシステムによれば、カメラ本体側において画像データの処理能力が低い場合でもその影響を受けにくい。
【発明を実施するための最良の形態】
【００１２】
以下、本発明の実施形態について説明する。
【００１３】
図１は、本発明の通信電源アダプタの一実施形態が適用された本発明の撮像システムの一実施形態を表す図である。
【００１４】
この撮像システム１００は、撮像素子やレンズを備えたカメラヘッド、および撮影でえられた画像信号の処理を行うカメラ本体を構成要素とするカメラシステム１と、このカメラシステム１と無線で画像データの送受信を行うパーソナルコンピュータ２５０とから構成されている。後述するように、このパーソナルコンピュータ２５０は、カメラシステム１から見ると、カメラシステム１の送信した画像データを保管するための外部サーバとして機能する。その際の画像データの出し入れに関する判断はカメラシステム１の主導の下に行われ，この撮像システム１００では、カメラシステム１が主要な働きをすることになる。以下では、まずこのカメラシステム１の外観および構成について説明し、その後でこの撮像システム１００におけるカメラシステム１の動作についての説明を行う。
【００１５】
図２は、図１に示すカメラシステムの分解図である。
【００１６】
図２に示すカメラシステム１には、撮影レンズとＣＣＤとが内蔵された複数種類のカメラヘッド１＿ａ，２＿ａ，…，ｎ＿ａが用意されており、それら複数種類のカメラヘッドのうちいずれかの種類のカメラヘッドが選択されて使用される。カメラヘッド１＿ａ，２＿ａ，…，ｎ＿ａは、本発明にいう光学ユニットの一例にそれぞれ相当する。以下の説明においては、複数種類のカメラヘッド１＿ａ，２＿ａ，…，ｎ＿ａのうち、カメラヘッド１＿ａが選択されたものとして説明を行う。
【００１７】
カメラシステム１は、カメラヘッド１＿ａと、カメラヘッド１＿ａが着脱自在に装着されるカメラ本体１＿ｂとで構成されている。カメラヘッド１＿ａとカメラ本体１＿ｂとの間では、マウントコネクタ１０ａとマウント１０ｂに設けられた電気的接点を介して通信が行われる。このカメラ本体１０の上部には、撮影モードなどの設定を行うモードダイヤル１０が設けられている。このマウント１０ｂが、本発明にいう接続部の一例に相当する。
【００１８】
図３は、図２に示すモードダイヤルを表した図である。
【００１９】
このモードダイヤル１０は、図で両矢印で示す方向に回転することができるダイヤルとなっており、ユーザは、このモードダイヤル１０を操作することによって、静止画撮影モードを表す「静止画」、連写撮影モードを表す「連写」、再生モードを表す「再生」、動作設定を行うモードである動作設定モードを表す「設定」の４つの選択肢から、ユーザの好みのモードを選ぶことができる。この図では、連写モードを表す「連写」が選択された状態が示されている。
【００２０】
図４は、図２に示すカメラシステム１の内部構成図である。
【００２１】
まずは、カメラヘッド１＿ａについて説明する。
【００２２】
カメラヘッド１＿ａには、フォーカスレンズやズームレンズなどといった各種レンズや、それら各種レンズを駆動するためのモータなどが配備された撮影光学系１１ａ、撮影光学系１１ａ中のモータを制御して、フォーカスレンズやズームレンズのレンズ位置や、絞りなどを制御する絞り／フォーカスズーム制御部１７ａ、撮影光学系１１ａを通って結像された被写体光を受光して、被写体光を表わす画像信号を生成するＣＣＤ１２ａ、画像信号の増幅やゲイン調整などを行うアナログ信号処理部１３ａ、画像信号をアナログからデジタルに変換するＡ／Ｄ部１４ａ、ＣＣＤ１２ａ，アナログ信号処理部１３ａ，Ａ／Ｄ部１４ａに向けてタイミング信号を発するＴＧ（タイミングジェネレータ）１８ａ、カメラヘッド１＿ａの各種要素の制御するヘッドＣＰＵ１９ａが設けられている。ここで、撮影光学系１１ａ、ＣＣＤ１２ａ、アナログ信号処理部１３ａ、およびＡ／Ｄ部１４ａを合わせたものが、本発明にいう撮像部の一例に相当する。
【００２３】
また、カメラヘッド１＿ａには、カメラ本体１＿ｂにも同様に設けられた３線シリアルドライバ１５１ａと高速シリアルドライバ１５０ａとが備えられている。高速シリアルドライバ１５０ａは、カメラ本体１＿ｂとの間で撮影により得られた画像データを送受信するためのものであり、３線シリアルドライバ１５１ａは、ＣＣＤ１２ａの画素数やレンズの絞り値などというヘッドパラメータや、カメラ本体１＿ｂへの要求などといった情報をカメラ本体１＿ｂとの間で送受信するためのものである。この高速シリアルドライバ１５０ａが本発明にいう伝達部の一例に相当する。
【００２４】
カメラヘッド１＿ａには、上述した各種要素のほかにも、低解像度な画像データに基づいて、被写体の輝度検出（ＡＥ検出）やコントラスト検出（ＡＦ検出）を行う積算回路１６ａ、ＡＥ検出やＡＦ検出に関する処理手順などを示すプログラムが格納されたシステムメモリ１９０ａ、カメラヘッド１＿ａ、およびカメラヘッド１＿ａの各種要素に供給される電力を制御する電源制御部１００ａ、電力を調整するＤＣ／ＤＣコンバータ１０１ａ、このカメラヘッド１＿ａとカメラ本体１＿ｂとの接続を伝えるためのカメラヘッド１＿ａ側の接続検出用端子１７１ａなども備えられている。さらに、カメラヘッド１＿ａには、図１に示すパーソナルコンピュータ２５０と無線で画像データの送受信をするための無線通信部１７０ａ、送信される画像データが送信前に一時的に蓄えられる不揮発性メモリ１９１ａが備えられており、これらは後述するように、カメラ本体１＿ｂに画像データを記憶するための記憶容量に限界がある時などに用いられる。この無線通信部１７０ａが、本発明にいう通信部の一例に相当する。
【００２５】
続いて、カメラ本体１＿ｂについて説明する。
【００２６】
カメラ本体１＿ｂの動作は、本体ＣＰＵ１００ｂにより統括的に制御される。このカメラ本体１＿ｂには、プログラムが格納されたシステムメモリ１０１ｂ、カメラヘッド１＿ａから送信された各種要求や情報を送受信するための３線シリアルドライバ１５１ｂ、カメラヘッド１＿ａとの間で画像データを送受信するための高速シリアルドライバ１５０ｂ、３線シリアルドライバ１５１ｂで受信された各種パラメータなどを記録する不揮発メモリ１０２ｂ、タイマ撮影用のタイマ１１０ｂ、カレンダ時計を調節するためのカレンダ時計部１１１ｂ、ＵＳＢコネクタ１３０ｂを介してパーソナルコンピュータなどが接続されるＵＳＢドライバ１３１ｂ、カメラ本体１＿ｂに備えられた閃光発光窓から閃光を発光する閃光発光部１２１ｂ、閃光発光部１２１ｂでの発光量を制御する閃光発光制御部１２０ｂ、前述のカメラヘッド１＿ａ側の接続検出用端子１７１ａとの電位差を検出することでカメラヘッド１＿ａとカメラ本体１＿ｂとの間の接続を伝える接続検出部１７１ｂが設けられている。この高速シリアルドライバ１５０ｂが、本発明にいうデータ受取部の一例に相当する。また、カメラ本体１＿ｂの外面には、図３に示すモードダイヤル１０などの各種のダイヤルやスイッチが備えられており、図４ではこれらはまとめて操作部１３２ｂとして示されている。
【００２７】
さらに、このカメラ本体１＿ｂには、画像データをＹＣ信号に変換するデジタル画像処理部１０９ｂ、画像データに対してＪＰＥＧ圧縮／伸張やＭＰＥＧ圧縮／伸張を行う圧縮伸張部１６１ｂ、このカメラシステム１の電源を投入する電源ＳＷ１４ｂ、このカメラシステム１に電力を供給するバッテリ１４２ｂ、バッテリ１４２からカメラ本体１＿ｂの各要素に供給される電力を制御する電源制御部１４０ｂ、電力を調整するＤＣ／ＤＣコンバータ１４６ｂ、電力を維持してＩ／Ｏ１０９を介してカメラヘッド１＿ａに送るラッチ１４３ｂ、ＬＣＤ１０５０ｂでの表示を制御するＬＣＤ制御部１０５ｂ、各種メニュー画面や、スルー画像などが表示されるＬＣＤ１０５０ｂ、撮影で得られた画像データがカードＩ／Ｆ１０６ｂを介して記録されるメモリカード１０８ｂが装填されるメモリカードスロット１０７ｂ、高速シリアルドライバ１５０ｂで受信された画像データが一時的に記録されるフレームメモリ１０４ｂなども備えられている。このメモリカード１０８ｂが、本発明にいう記憶部の一例に相当する。
【００２８】
また、カメラ本体１＿ｂには、ＵＳＢコネクタ１３０ｂが設けられており、このＵＳＢコネクタ１３０ｂを介してカメラ本体１＿ｂ内部のＵＳＢドライバ１３１ｂと外部のＵＳＢ機器とが接続されることによって、外部のＵＳＢ機器とカメラ本体との間で画像データなどの情報のやりとりが行われる。
【００２９】
以上が、図１に示すカメラシステム１の構成についての説明である。
【００３０】
続いて、図１に示す撮像システム１００におけるカメラシステム１の動作について説明する。
【００３１】
図５は、静止画撮影時におけるカメラシステム１の動作を表すフローチャ−トである。
【００３２】
静止画撮影を行うため、ユーザにより図４に示す電源ＳＷ１４ｂがオンとなる（ステップＳ１）と、カメラ本体側に備えられた接続検出部１７１ｂは、カメラヘッド１＿ａとカメラ本体１＿ｂとの間の接続を検出する作業を開始する。接続が検出されない場合（ステップＳ２；Ｎｏ）は、接続が検出されるまでこの作業を繰り返す。接続が検出される（ステップＳ２；Ｙｅｓ）と、その検出されたという情報が図４に示す本体ＣＰＵ１００ｂに伝えられてカメラヘッド１＿ａを含めたカメラシステム１全体が起動する。そして、ユーザにより図３に示すモードダイヤル１０が操作されて「静止画」に設定されると、レリーズスイッチが押されて撮影が行われたか否かの判定が行われる（ステップＳ３）。レリーズスイッチが押されていない場合（ステップＳ３；Ｎｏ）は、続いて送信フラグがセットされているか否かが判定される（ステップＳ１０）。後述するように撮影が行われないと送信フラグがセットされないため、この撮影前の段階ではステップＳ１０でＮｏが選択され、再びステップＳ３に戻る。レリーズスイッチが押されて撮影が行われると（ステップＳ３；Ｙｅｓ）、撮影で得られた画像データがカメラ本体側に送られ、図４に示す圧縮処理部により圧縮処理が施される（ステップＳ４）。圧縮された画像データは、そのデータ量が図４に示すメモリカード１０８ｂの空き容量以下であれば（ステップＳ５；Ｙｅｓ）、そのままメモリカード１０８ｂに記録される（ステップＳ６）。圧縮された画像データのデータ量がメモリカード１０８ｂの空き容量よりも大きければ（ステップＳ５；Ｎｏ）、本体ＣＰＵ１００ｂの指示に基づき、その画像データはメモリカード１０８ｂに記録されることなくカメラヘッド側に送られ、図４に示す不揮発性メモリ１９１ａに記録される。そして、本体ＣＰＵ１００ｂは送信フラグをセットする（ステップＳ８）。ユーザにより図４に示す電源ＳＷ１４ｂがオフとなっていなければ（ステップＳ９；Ｎｏ）、ステップＳ３に戻り、以上説明したステップＳ４からステップＳ９までの過程の間にレリーズスイッチが再び押されて撮影が行われたか否かの判定が行われる。このような過程を繰り返すことで撮影が行われる度に撮影で得られた画像データが圧縮されて、メモリカード１０８ｂあるいは不揮発性メモリ１９１ａに記録される。
【００３３】
ユーザによる撮影行動が完了あるいは一時的に中断すると、ステップＳ３において、レリーズスイッチが押されなかったと判定され、続いて送信フラグがセットされているか否かの判定が行われる（ステップＳ１０）。
【００３４】
撮影で得られた画像データが全てメモリカード１０８ｂに記録されている場合は、送信フラグがセットされることがない（ステップＳ１０；Ｎｏ）ので、図４に示す電源ＳＷ１４ｂがユーザによりオフにされれば（ステップＳ９；Ｙｅｓ）、静止画撮影時におけるカメラシステム１の動作はここで終了する。
【００３５】
撮影で得られた画像データのうち、図４に示す不揮発性メモリ１９１ａに記録されている画像データが存在する場合は、ステップＳ８において送信フラグがセットされているためステップＳ１０でＹｅｓが選択される。そして、不揮発性メモリ１９１ａに記録されている画像データが図４に示す無線通信部１７０ａによって、図１に示すパーソナルコンピュータ２５０に送信され（ステップＳ１１）、パーソナルコンピュータ２５０では、送信されてきた画像データをパーソナルコンピュータ２５０内部に保存する。ユーザによる撮影行動が再開されてレリーズスイッチが押されない（ステップＳ３；Ｎｏ）限り、不揮発性メモリ１９１ａに記録されている画像データが全て送信される（ステップＳ１２；Ｙｅｓ）まで、この送信作業を繰り返す。ユーザによる撮影行動が再開されてレリーズスイッチが押される（ステップＳ３；Ｙｅｓ）と、画像データをパーソナルコンピュータ２５０に送信する作業は一旦停止されて、前述のステップＳ４、ステップＳ７、およびステップＳ８で説明したように、撮影で得られた画像データを不揮発性メモリ１９１ａに記録する作業が、ユーザによる撮影行動が完了あるいは中断するまで行われる。
【００３６】
最終的に不揮発性メモリ１９１ａに記録されている画像データが全て送信される（ステップＳ１２；Ｙｅｓ）と、図３に示す本体ＣＰＵ１００ｂは送信フラグをクリアし（ステップＳ１３；Ｙｅｓ）、ユーザにより図４に示す電源ＳＷ１４ｂがオフにされることで静止画撮影時におけるカメラシステム１の動作は終了する。以上の説明において、本体ＣＰＵ１００ｂが、本発明にいう制御部の一例に相当する。
【００３７】
このように、このカメラシステム１では、カメラ本体１＿ｂの有するメモリカード１０８ｂの空き容量がなくなった場合には、画像データをカメラシステム外部にあるパーソナルコンピュータ２５０に送信して保存することで、カメラ本体１＿ｂで記憶可能な容量の制限を受けることなく撮影を続けることが可能となる。
【００３８】
以上説明した静止画撮影では、一回の撮影ごとに画像一枚分（１フレーム）のデータ量の画像データが圧縮される。このため、圧縮対象となる画像データのデータ量が小さく圧縮作業自体にそれほど時間がかからないが、連写撮影の場合は、一回の連写撮影で画像複数枚分のデータ量の画像データが得られるため、圧縮対象となる画像データのデータ量が大きく圧縮作業自体に時間がかかる。このことは、複数回の連写撮影を行う場合に問題となる。図１に示すカメラシステム１のカメラ本体側の画像データの圧縮能力は、それほど高くないため、複数回の連写撮影を行う場合、カメラシステム１だけで画像データの処理を全て行おうとすると、次々と送られてくる画像データの生成速度に画像データの圧縮速度がついて行けないという事態が起こり得る。
【００３９】
このような事態を避けるため、図１に示す撮像システム１００では、連写撮影の場合でもカメラシステム１のカメラ本体１＿ｂの圧縮能力の限界による制限を受けることなく、撮影を続けることができる機能が備えられている。以下では、撮像システム１００におけるカメラシステム１の連写撮影時の動作について説明する。
【００４０】
図６は、連写撮影時におけるカメラシステム１の動作を表すフローチャ−トである。
【００４１】
連写撮影を行うため、ユーザにより図４に示す電源ＳＷ１４ｂがオンとなる（ステップＳ１０１）と、カメラ本体側に備えられた接続検出部１７１ｂは、カメラヘッド１＿ａとカメラ本体１＿ｂとの間の接続を検出する作業を開始する。接続が検出されない場合（ステップＳ１０２；Ｎｏ）は、接続が検出されるまでこの作業を繰り返す。接続が検出される（ステップＳ１０２；Ｙｅｓ）とその検出されたという情報が図４に示す本体ＣＰＵ１００ｂに伝えられてカメラヘッド１＿ａを含めたカメラシステム１全体が起動する。そして、ユーザにより図３に示すモードダイヤル１０が操作されて「連写」に設定されると、レリーズスイッチが押されて連写撮影が行われたか否かの判定が行われる（ステップＳ１０３）。レリーズスイッチが押されていない場合（ステップＳ１０３；Ｎｏ）は、続いて送信フラグがセットされているか否かが判定される（ステップＳ１１０）。後述するように連写撮影が行われないと送信フラグがセットされないため、この連写撮影前の段階ではステップＳ１１０でＮｏが選択され、再びステップＳ３に戻ってこの過程を撮影が行われるまで繰り返す。レリーズスイッチが押されて連写撮影が行われると（ステップＳ１０３；Ｙｅｓ）、連写撮影で得られた、画像複数枚分のデータ量の画像データは、一旦図４に示す不揮発性メモリ１９１ａに記録される。このような画像データの記録作業が、不揮発性メモリ１９１ａの空き容量が所定量以下になる（ステップＳ１０５；Ｙｅｓ）まで、連写撮影のたびに行われる。不揮発性メモリ１９１ａの空き容量が所定量以下になる（ステップＳ１０５；Ｙｅｓ）と、本体ＣＰＵ１００ｂは送信フラグをセットする（ステップＳ１０６）。そして、この不揮発性メモリ１９１ａに記録されている画像データが図４に示す無線通信部１７０ａによって、図１に示すパーソナルコンピュータ２５０に送信され（ステップＳ１１）、パーソナルコンピュータ２５０では、送信されてきた画像データを連写撮影による画像データとして一時的に保存する。不揮発性メモリ１９１ａに記録されている画像データが全て送信される（ステップＳ１０８；Ｙｅｓ）まで、この送信作業を繰り返す。記録されている画像データが全て送信される（ステップＳ１０８；Ｙｅｓ）と、ユーザにより図４に示す電源ＳＷ１４ｂがオフとなっていなければ（ステップＳ１０９；Ｎｏ）、ステップＳ１０３に戻り以上説明したステップＳ１０４からステップＳ１０９までの過程の間にレリーズスイッチが再び押されて撮影が行われたか否かの判定が行われる。このような過程を繰り返すことで、不揮発性メモリ１９１ａの空き容量が所定量以下になる度に、不揮発性メモリ１９１ａ内の画像データがパーソナルコンピュータ２５０に送信されて保存されていく。
【００４２】
ユーザによる撮影行動が完了あるいは一時的に中断すると、ステップＳ１０３において、レリーズスイッチが押されなかったと判定され、続いて送信フラグがセットされているか否かの判定が行われる（ステップＳ１１０）。送信フラグがセットされている場合（ステップＳ１１０；Ｙｅｓ）、図４に示す本体ＣＰＵ１００ｂは、パーソナルコンピュータ２５０に対して、送信した画像データを送り返すよう、無線通信部１７０ａを介して指示を出す。その指示を受けパーソナルコンピュータ２５０は、連写撮影の画像データのうち連写撮影一回分に相当する画像データを、カメラシステム１に向けて送信する。その連写撮影一回分の画像データは、カメラシステム１の無線通信部１７０ａに受信され（ステップＳ１１１）、一旦不揮発性メモリ１９１ａに記録された（ステップＳ１１２）後、カメラ本体側において図４に示す圧縮処理部により圧縮処理が施されてメモリカード１０８ｂに記録される（ステップＳ１１３）。以上説明した、ステップＳ１１１からステップＳ１１３までの過程を、パーソナルコンピュータ２５０内に一時的に保存されている連写撮影の画像データがすべてメモリカード１０８ｂに記録される（ステップＳ１１４；Ｙｅｓ）まで繰り返す。
【００４３】
ここでは、メモリカード１０８ｂの空き容量はまだ十分あるものとして話を進めるが、連写撮影の画像データをメモリカード１０８ｂに記録するにつれ、メモリカード１０８ｂの空き容量がなくなってしまった場合には、図５において説明した方式により、パーソナルコンピュータ２５０にその圧縮された画像データが送信されて保存されることとなる。
【００４４】
連写撮影で得られた画像データが、全てメモリカード１０８ｂに記録される（ステップＳ１１４；Ｙｅｓ）と、図３に示す本体ＣＰＵ１００ｂは送信フラグをクリアし（ステップＳ１１５；Ｙｅｓ）、ユーザにより図４に示す電源ＳＷ１４ｂがオフにされる（ステップＳ１０９；Ｙｅｓ）ことで連写撮影時におけるカメラシステム１の動作は終了する。
【００４５】
このように、このカメラシステム１では、カメラ本体１＿ｂの画像データの圧縮能力が低く、連写撮影のように画像データが次々と送られてくると圧縮速度がついていかない場合でも、一旦カメラシステム１の外部のパーソナルコンピュータ２５０に画像データを移動させて時間を稼ぐことで、カメラ本体１＿ｂの圧縮能力の限界による制限を受けることなく連写撮影を続けることが可能となる。
【００４６】
以上が本実施形態の説明である。
【００４７】
本実施形態は、画像データの圧縮に時間がかかる撮影モードとして連写撮影を例として説明したが、本発明は、連写撮影以外でも、同様に圧縮処理に時間がかかる撮影モードに対して適用可能である。そのような撮影モードとしては、例えば動画撮影モードが考えられる。
【図面の簡単な説明】
【００４８】
【図１】本発明の通信電源アダプタの一実施形態が適用された本発明の撮像システムの一実施形態を表す図である。
【図２】図１に示すカメラシステムの分解図である。
【図３】図２に示すモードダイヤルを表した図である。
【図４】図２に示すカメラシステム１の内部構成図である。
【図５】静止画撮影時におけるカメラシステム１の動作を表すフローチャ−トである。
【図６】連写撮影時におけるカメラシステム１の動作を表すフローチャ−トである。
【符号の説明】
【００４９】
２５０    パーソナルコンピュータ
１００    撮像システム
１    カメラシステム
１＿ａ，２＿ａ，…，ｎ＿ａ    カメラヘッド
１＿ｂ    カメラ本体
１０    モードダイヤル
１０ａ    マウントコネクタ
１１ａ    撮像光学系
１２ａ    ＣＣＤ
１４ａ    Ａ／Ｄ部
１５ａ    アナログ信号処理部
１６ａ    積算回路
１７ａ    絞り／フォーカスズーム制御部
１８ａ    ＴＧ
１９ａ    ヘッドＣＰＵ
１７０ａ    無線通信部
１７１ａ    接続検出用端子
１９０ａ    システムメモリ
１９１ａ    不揮発性メモリ
１００ａ    電源制御部
１０１ａ    ＤＣ／ＤＣコンバータ
１０ｂ    マウント
１００ｂ    本体ＣＰＵ
１０１ｂ    システムメモリ
１０２ｂ    不揮発メモリ
１０４ｂ    フレームメモリ
１０５０ｂ    ＬＣＤ
１０５ｂ  ＬＣＤ制御部
１０６ｂ    カードＩ／Ｆ
１０７ｂ    メモリカードスロット
１１０ｂ    タイマ
１１１ｂ    カレンダ時計部
１２０ｂ    閃光発光制御部
１２１ｂ    閃光発光部
１３０ｂ    ＵＳＢコネクタ
１３１ｂ    ＵＳＢドライバ
１３２ｂ    操作部
１４ｂ    電源ＳＷ
１４０ｂ    電源制御部
１４１ｂ    Ｉ／Ｏ
１４２ｂ    バッテリ
１４３ｂ    ラッチ
１４６ｂ    ＤＣ／ＤＣコンバータ
１０９ｂ    デジタル信号処理部
１６１ｂ    圧縮伸張部
１７１ｂ    接続検出部
【図１】
2007081946.tif 000003
【図２】
2007081946.tif 000004
【図３】
2007081946.tif 000005
【図４】
2007081946.tif 000006
【図５】
2007081946.tif 000007
【図６】
2007081946.tif 000008